(57)【特許請求の範囲】
【請求項１】
導電性を有する器具本体と；
導電性を有する導電板の表面を絶縁性を有する絶縁膜で覆い、前記器具本体と所定間隔を有して取付けられる被取付部材と；
被取付部材に設けられた円孔からなる取付部と；
前記器具本体に電気的および機械的に接続され、前記円孔よりも径寸法が小さい軸状の固定部、この固定部の一端側に接続される支持部および固定部と電気的に接続されるとともに取付部内面に少なくとも一部が接触するとともに前記取付部よりも前記器具本体側に位置する固定部側から前記支持部側にかけて前記支持部側が前記円孔の径よりも大きくなるようにテーパ状に形成された導通部を備えた取付具と；
を具備したことを特徴とする照明器具。
【請求項２】
被取付部材は、反射板であることを特徴とする請求項１に記載の照明器具。
【発明の詳細な説明】
【発明の属する技術分野】
【０００１】
本発明は、導電性を有する器具本体とこの器具本体に取り付けられる導電性を有する被取付部材とを備えた照明器具に関する。
【従来の技術】
従来、照明器具の外郭（非充電金属部）すなわち器具本体が導電性を有する金属で構成されている場合は、金属部分に充電部が接触した万一の場合の安全のため、器具本体を接地すなわち地絡することが規定されている。
【０００２】
一方、器具本体に別体の被取付部材である反射板を取り付ける場合において、反射板である金属板を、あるいは器具本体と反射板との両部材を所望の形状に形成した後に外観を向上させるために表面に塗装を施す方法や、外観をさらに向上するため、反射板について、あるいは器具本体と反射板との両部材について、金属板の表面をあらかじめ塗装したいわゆるカラー鋼板を用いて形成する方法とが一般的に用いられている。
【発明が解決しようとする課題】
しかしながら、上記二通りの方法で反射板、あるいは反射板と器具本体とを形成すると、金属板の表面が絶縁膜で覆われることになるため、取付具であるネジ等で単に反射板を器具本体に係合などして機械的に接続するのみでは、反射板の取付部の径がネジの固定部の径よりも大きく形成されていたり、または、反射板の取付部に金属板の端面が確実に露出されていないと、器具本体と反射板とが電気的に接続されず、反射板の接地が十分に確保されないおそれがある。
【０００３】
本発明は、このような点に鑑みなされたもので、器具本体に取り付けられる被取付部材について器具本体との電気的な接続を比較的簡単な構成で容易に確保できる照明器具を提供することを目的とする。
【課題を解決するための手段】
請求項１の照明器具は、導電性を有する器具本体と；導電性を有する導電板の表面を絶縁性を有する絶縁膜で覆い、前記器具本体と所定間隔を有して取付けられる被取付部材と；被取付部材に設けられた円孔からなる取付部と；前記器具本体に電気的および機械的に接続され、前記円孔よりも径寸法が小さい軸状の固定部、この固定部の一端側に接続される支持部および固定部と電気的に接続されるとともに取付部内面に少なくとも一部が接触するとともに前記取付部よりも前記器具本体側に位置する固定部側から前記支持部側にかけて前記支持部側が前記円孔の径よりも大きくなるようにテーパ状に形成された導通部を備えた取付具と；を具備したことを特徴とする。
【０００４】
本発明および以下の各発明において、特に指定しない限り用語の定義および技術的意味は次による。
【０００５】
支持部は、固定部と連続して形成されていてもよいし、固定部とは別体で形成されていてもよい。また固定部とは同様の材質で構成されていてもよいし、固定部とは異なる材質で構成されていてもよい。なお、固定部と異なる材質で構成されているとは支持部が合成樹脂で形成されていてもよいことを意味する。
【０００６】
導通部の「固定部側が支持部側よりも小さくなるように」とは、例えばテーパ状に形成された羽根部を複数個形成することなどが考えられるが、形状は特に限定されるものではない。要するに、固定部を器具本体および被取付部材に固定させる場合に、被取付部材の取付部内と少なくとも一部が摺動するように導通部が形成されていることである。
【０００７】
請求項１の照明器具は、取付具により器具本体に被取付部材の取付部が取り付けられ、器具本体に被取付部材が取り付けられる。
【０００８】
請求項１の発明のよれば、器具本体に電気的および機械的に接続される固定部、この固定部の一端側に接続され被取付部材を機械的に支持する支持部および固定部と電気的に接続されるとともに取付部内面に少なくとも一部が接触するように固定部側が支持部側より小さくなるように形成された導通部を備えた取付具を有していることにより、被取付部材の取付部の径が取付具の固定部の径よりも大きく形成されていたり、または、被取付部材の取付部に導電板の端面が確実に露出されていない状態であっても、導電部の少なくとも一部が取付部内と摺動するので、取付具を介して被取付部材と器具本体との電気的接続が確実に確保される。
【００１５】
請求項２の照明器具は、請求項１に記載の照明器具において、被取付部材は、反射板であることを特徴とする。
【００１６】
請求項２の発明によれば、被取付部材が反射板であることにより、導電性を有する反射板が器具本体に確実に電気的に接続され、器具本体を介して反射板が確実に接地される。
【００１７】
図１は本発明における第一実施形態の照明器具の斜視図、図２は同上照明器具の照明器具本体のシャーシを示す分解状態の断面図、図３は同上照明器具の断面図、図４は同上照明器具の要部を拡大した断面図である。
【００１８】
各図において、１は照明器具で、この照明器具１は、天井面に直付けあるいは吊り下げ支持される器具本体２を備えたいわゆるトラフ形の照明器具を構成している。そして、器具本体２は、導電性を有する導電板としての金属板Ａの両面にアイボリーなどの塗装すなわち絶縁膜を形成された支持部としてのシャーシ４、接続金具４４、電子安定器７、端子台（図示しない）、ランプソケット８を備えている。
【００１９】
なお、例えば、金属板Ａは亜鉛めっき鋼板で、絶縁膜は樹脂塗装膜であり、着色亜鉛めっき鋼板が構成されている。また、このシャーシ４は、上板部４ａと、この上板部の長手方向に沿った両側に連続する側板部４ｂと、長手方向の両端部を覆う端板部４ｃとを備え、下面を開口した略箱状に形成されている。また、側板部４ｂの下端部に沿って、外側に円弧状に膨出する係合受部（本体カール部）４ｄが一体に形成されている。さらに、側板部４ｂの下端に両側に対をなすスリット状の開口部（反射板取付金具受け孔）５が形成され、この電気的導通嵌合部である開口部５の端面は金属板Ａが露出する接続金具用端面露出部６になっている。そして、このシャーシ４は、上板部４ａに形成された木ねじ用孔部（図示しない）を用いて天井面に直付けされ、あるいはボルト用孔部（図示しない）を用いて吊り下げ支持されている。
【００２０】
また、このシャーシ４の内側には、電子式の安定器７と、図示しない端子台となどが収納され固定されている。さらに、長手方向の両端部には、相対向するランプソケット８が下側に突出して取り付けられている。そして、上板部４ａなどに形成された電源用孔部を介して、電源線がシャーシ４内に引き込まれて端子台に接続され、この端子台から安定器７およびランプソケット８に接続されている。
【００２１】
また、シャーシ４の金属板Ａは、電源線などにより、アースすなわち接地されている。
【００２２】
接続金具４４は、例えば導電性を有する金属板Ａに亜鉛めっきを施し、表面が導電性を有する状態になっている。そして、この接続金具４４には、本体取付部４６が両端部から内側に向かって突設され、これら本体取付部４６を器具本体２の開口部５に外側から挿入して係合することにより、接続金具４４が器具本体２に電気的かつ機械的に接続されている。また、接続金具４４の中央部には固定部係止孔９が形成されている。
【００２３】
被取付部材としての反射板５１は、導電性を有する導電板としての金属板Ａの両面に白色などの塗装すなわち絶縁膜を形成された反射板本体５２を備えている。また、この反射板本体５２には、平板状をなす反射板部５２ａ と、この反射板部５２ａ の長手方向に沿った両側部から下側に拡開状に屈曲された傾斜板部５２ｂ とが形成されている。そして、反射板部５２ａには、長手方向の両端部近傍に、取付部である所定の直径寸法の円孔５４が形成されている。
【００２４】
取付具７１は、固定部としての導電性を有する金属製のねじ部７２と、支持部としての合成樹脂製のつまみ部７３とを有したいわゆる化粧ねじになっている。さらに、この取付具７１では、つまみ部７３から、ねじ部７２の周囲に位置して、ねじ部７２と同じ方向に、複数、例えば３個あるいは４個の導電性を有する導通部７４が突設されている。そして、この導通部７４は、つまみ部７３に埋め込まれたねじ部７２の基部７５と一体に形成され、すなわち、ねじ部７２と電気的に接続されている。
【００２５】
なお導通部７４を詳述すると、導通部７４は、ねじ部７２側がつまみ部７３側よりも小さくなるようなテーパ状に形成された羽根部７６を複数個形成している。そしてこの羽根部７６は、ねじ部７２側は円孔５４の直径寸法よりも
【００２６】
円孔５４と、ねじ部７２を中心として導通部７４の外側に接する仮想の接線の直径寸法との関係は、前記接線が導通部７４ねじ部７２側とつまみ部７３側との間に位置するように形成されている。
【００２７】
本実施形態は、まず、シャーシ４の開口部５に表面が導電性を有するように形成されている接続金具４４の本体取付部４６を外側から挿入して係合して器具本体２を形成する。
【００２８】
次に、器具本体２の接続金具４４に形成された固定部係止孔９の中心線と反射板５１に形成されている円孔５４との中心線とが略一致するように反射板５１を接続金具４４に近接させる。
【００２９】
そして、円孔５４に取付具７１を挿入し、円孔５４内面と導通部７４との一部が摺動するとともに接続金具４４の固定部係止孔９とねじ部７２とが螺合し、器具本体２と反射板５１とが電気的、かつ、機械的に接続される。
【００３０】
本実施形態によれば、器具本体２に電気的および機械的に接続されるねじ部７２、このねじ部７２の一端側に接続され反射板５１を機械的に支持するつまみ部７３およびねじ部７２と電気的に接続されるとともにねじ部７２側がつまみ部７３側より小さくなるように形成され、かつ、円孔５４内面に少なくとも一部が摺動しながら接触するように形成された導通部７４を備えた取付具７１を有していることにより、反射板５１の円孔５４の径が取付具７１のねじ部７２の径よりも大きく形成されている場合は、導通部７４が円孔５４内面に確実に接触するので、取付具７１を介して反射板５１と器具本体２との電気的接続が確実に確保されるとともに機械的接続も確保される。また、反射板５１の円孔５４内面に導電板Ａの端面が確実に露出されていない状態であっても、導通部７４が円孔５４内面の塗装を削り取り、導電板Ａと導通部７４が接触されるので、取付具７１を介して反射板５１と器具本体２との電気的接続が確実に確保されるとともに機械的接続も確保される。
【００３１】
次に第二実施形態について図５を用いて説明する。
【００３２】
図５は本発明における第二実施形態の照明器具の要部を拡大した断面図である。
【００３３】
図５において、５５は突設部、５６は凹凸部であり、第一実施形態と同一の構成については同一の符号を付し、その説明は省略する。
【００３４】
反射板５１の円孔５４には、器具本体２とは反対側に突設する突設部５５を設けており、この突設部５５の先端側に複数の凹凸が形成されている凹凸部５６が形成されている。
【００３５】
本実施形態は、まず、シャーシ４の開口部５に表面が導電性を有するように形成されている接続金具４４の本体取付部４６を外側から挿入して係合して器具本体２を形成する。
【００３６】
次に、器具本体２の接続金具４４に形成された固定部係止孔９の中心線と反射板５１に形成されている円孔５４との中心線とが略一致するように反射板５１を接続金具４４に近接させる。
【００３７】
そして、円孔５４に取付具７１を挿入し、接続金具４４の固定部係止孔９とねじ部７２の先端側とを螺合させるが、このとき取付具７１の基部７５が突部５５または凹凸部５６と接触するまで固定部係止孔９へ螺合させる。さらに好ましくは、基部７５が突部５５または凹凸部５６と接触しながら若干摺動させる。このように作用させ、器具本体２と反射板５１とが電気的、かつ、機械的に接続される。
【００３８】
本実施形態によれば、反射板５１に設けられ、器具本体２とは反対側に突設するように形成された突設部５５の先端に複数の凹部と凸部を有する凹凸部５６が設けられた円孔５４が形成されたことにより、反射板５１の円孔５４の径が取付具７１のねじ部７２の径よりも大きく形成されている場合は、取付け具７１のつまみ部７３に埋め込まれた基部７５が突部５５または凹凸部５６と接触しながら摺動するので、取付具７１を介して反射板５１と器具本体２との電気的接続が確実に確保される。また、反射板５１の円孔５４の突部５５または凹凸部５６に導電板Ａの端面が確実に露出されていない状態であっても、取付け具７１のつまみ部７３に埋め込まれた基部７５が突部５５または凹凸部５６と接触しながら摺動するので、突部５５または凹凸部５６の塗装を削り取り、導電板Ａと基部７５とが接触し、取付具７１を介して反射板５１と器具本体２との電気的接続が確実に確保されるとともに機械的接続も確保される。
【発明の効果】
請求項１の発明によれば、器具本体に電気的および機械的に接続される固定部、この固定部の一端側に接続され被取付部材を機械的に支持する支持部および固定部と電気的に接続されるとともに取付部内面に少なくとも一部が接触するように固定部側が支持部側より小さくなるように形成された導通部を備えた取付具を有していることにより、被取付部材の取付部の径が取付具の固定部の径よりも大きく形成されている場合に、被取付部材の取付部に導電板の端面が確実に露出されていない状態であっても、導電部の少なくとも一部が取付部内と摺動するので、取付具を介して被取付部材と器具本体との電気的接続が確実に確保される照明器具を提供できる。
【００４１】
請求項２の発明によれば、被取付部材が反射板であることにより、導電性を有する反射板が器具本体に確実に電気的に接続され、器具本体を介して反射板が確実に接地される照明器具を提供できる。
【図面の簡単な説明】
【図１】本発明における第一実施形態の照明器具の斜視図
【図２】同上照明器具の照明器具本体のシャーシを示す分解状態の断面図
【図３】同上照明器具の断面図
【図４】同上照明器具の要部を拡大した断面図
【図５】本発明における第二実施形態の照明器具の要部を拡大した断面図
【符号の説明】
１…照明器具
２…器具本体
５１…被取付部材としての反射板
５４…取付部としての円孔
５５…突部
５６…凹凸部
７１…取付具
７４…導電部
【図１】
0004501049.tif 000002
【図２】
0004501049.tif 000003
【図３】
0004501049.tif 000004
【図４】
0004501049.tif 000005
【図５】
0004501049.tif 000006